(57)【特許請求の範囲】
【請求項１】
赤外線リモートコントロールユニットから送信される赤外線コードを受信して電気信号のパルスに変換する赤外線受光部と、
前記赤外線受光部の出力であるパルスを各マイクロコンピュータに伝送するためのパルス伝送路と、
後述する第２のマイクロコンピュータを前記パルス伝送路に接続するためのスイッチと、
前記パルスをデコードして前記赤外線コードに従う処理を行う機能を持つが前記スイッチのＯＮ／ＯＦＦを制御する機能を持たない第２のマイクロコンピュータと、
前記パルスをデコードして前記赤外線コードに従う処理を行う機能に加え、受信した赤外線コードに従って前記スイッチをＯＮに切り換える際、前記パルスの入力が完了してから前記スイッチをＯＮに切り換えることにより前記スイッチのＯＮ／ＯＦＦを制御する機能も持つ第１のマイクロコンピュータと
を備え、前記第１のマイクロコンピュータが前記スイッチをＯＮに選択制御することにより、前記第２のマイクロコンピュータに前記パルスが伝送されるようにすることを特徴とするパルス伝送路制御システム。
【請求項２】
前記第２のマイクロコンピュータを複数備えることを特徴とする請求項１記載のパルス伝送路制御システム。
【発明の詳細な説明】
【０００１】
【発明の属する技術分野】
本発明は、赤外線リモートコントロールユニットから送信された赤外線コードから生成される電気信号のパルスをデコードし、前記赤外線コードに従う処理を行う複数個のマイクロコンピュータへの前記パルスの伝送を選択制御し得るパルス伝送路制御システムに関する。
【０００２】
【従来の技術】
赤外線リモートコントロールユニット（以下、リモコンと称す）から送信される赤外線コードから生成される電気信号のパルス（以下、リモコンコードパルスと称す）をデコードする機能（以下、リモコンコードパルス受信システムと称す）を持つマイクロコンピュータ（以下、マイコンと称す）で構成される装置を、図４を用いて説明する。
【０００３】
この装置は、新しいマイコンＧ１０と既存のマイコンＨ１１を組み合わせた装置であって、赤外線受光部４によりリモコン３から送信された赤外線コードをリモコンコードパルスに変換し、パルス伝送路５を介してマイコンＧ１０及びマイコンＨ１１に伝送し、このリモコンコードパルスをマイコンＧ１０若しくはマイコンＨ１１によりデコードすることによって、リモコン３からの要求（オペレータからの要求）を実行している。
【０００４】
しかしながら、このようにリモコンコードパルス受信システムを持つマイコン全てが赤外線受光部からのリモコンコードパルスを常に受け取るように構成されている装置においては、あるマイコンが主動作しているときであっても他のマイコンにパルス伝送路を介して同一のリモコンコードパルスが伝送され、デコードして有効であればデコード内容に対応した動作をするので、意図しない動作をする恐れがある。
【０００５】
【発明が解決しようとする課題】
本発明は、上記問題点を解決するために、リモコンコードパルス受信システムを持つ複数個のマイコンで構成される装置において、これら複数個のマイコンのうちの一つにスイッチのＯＮ／ＯＦＦを制御する機能を加えてその他のマイコンがスイッチを介してパルス伝送路と接続されるようにし、赤外線コードに従って動作するのに必要な処理を実行するマイコンにのみリモコンコードパルスが伝送されるようにスイッチを選択制御することによって、マイコンの誤動作を防止することができるパルス伝送路制御システムを提供することを目的とする。
【０００６】
【課題を解決するための手段】
本発明における請求項１記載のパルス伝送路制御システムは、赤外線リモートコントロールユニットから送信される赤外線コードを受信して電気信号のパルスに変換する赤外線受光部と、前記赤外線受光部の出力であるパルスを各マイクロコンピュータに伝送するためのパルス伝送路と、後述する第２のマイクロコンピュータを前記パルス伝送路に接続するためのスイッチと、前記パルスをデコードして前記赤外線コードに従う処理を行う機能を持つが前記スイッチのＯＮ／ＯＦＦを制御する機能を持たない第２のマイクロコンピュータと、前記パルスをデコードして前記赤外線コードに従う処理を行う機能に加え、受信した赤外線コードに従って前記スイッチをＯＮに切り換える際、前記パルスの入力が完了してから前記スイッチをＯＮに切り換えることにより前記スイッチのＯＮ／ＯＦＦを制御する機能も持つ第１のマイクロコンピュータとを備え、前記第１のマイクロコンピュータが前記スイッチをＯＮに選択制御することにより、前記第２のマイクロコンピュータに前記パルスが伝送されるようにすることを特徴とする。
【０００７】
本発明における請求項２記載のパルス伝送路制御システムは、請求項１記載のパルス伝送路制御システムであって、前記第２のマイクロコンピュータを複数備えることを特徴とする。
【０００９】
本発明によれば、リモコンコードパルス受信システムを持つ複数個のマイコンで構成される装置において、赤外線コードに従って動作するのに必要な処理を実行するマイコンにのみリモコンコードパルスが伝送されるようにスイッチを選択制御し得るため、マイコンの誤動作を防止することができる。
【００１０】
【発明の実施の形態】
以下、本発明のパルス伝送路制御システムの実施の形態について図面を用いて説明する。
【００１１】
（実施の形態１）
図１は、本実施の形態１のリモコンコードパルス受信システムを持つマイコンを用いて構成されている装置の概略を示すブロック図である。図１において、１および２はリモコンコードパルス受信システムを持つマイコンＡおよびマイコンＢであって、マイコンＡ１を新しいマイコン、マイコンＢ２を既存のマイコンとする。３はオペレータからの要求に相当する赤外線コードを送出するリモコン、４はリモコンからの赤外線コードを受光してリモコンコードパルスに変換する赤外線受光部、５はリモコンコードパルスを伝送するためのパルス伝送路、６はマイコンＢ２へのパルス伝送路５をＯＮ／ＯＦＦするスイッチ、７はマイコンＡ１からの制御信号をスイッチ６に伝送するためのスイッチ制御信号路でり、該装置においてはマイコンＡ１がスイッチ６を制御する機能を併せ持つことにより、オペレータからの要求を実行するにあたってのこの装置全体の制御を担っている。
【００１２】
マイコンＡ１は、マイコンＢ２へのリモコンコードパルス入力を許可する場合、スイッチ６へＯＮ制御信号を送り、マイコンＢ２へのパルス伝送路５を導通状態にする。パルス伝送路５が導通状態であるので、赤外線受光部４からのリモコンコードパルスがマイコンＢ２へ伝送されることになる。
【００１３】
また、マイコンＡ１は、マイコンＢ２へのリモコンコードパルス入力を許可しない場合、スイッチ６へＯＦＦ制御信号を送り、マイコンＢ２へのパルス伝送路５を遮断する。パルス伝送路５が遮断されているので、赤外線受光部４からのリモコンコードパルスがマイコンＢ２へ伝送されることはない。
【００１４】
（実施の形態２）
図２は、本実施の形態２のリモコンコードパルス受信システムを持つマイコンを用いて構成される装置の概略を示すブロック図である。なお、前述した本実施の形態１と同じ構成を有する部材には同一の番号を付記して、説明を省略する。
【００１５】
該装置において、マイコンＣ８およびマイコンＤ、マイコンＥ、マイコンＦ（以下、これら３個のマイコンを合わせてマイコンＤＥＦ９と称す）はリモコンコードパルス受信システムを持っており、マイコンＣ８を新しいマイコン、マイコンＤＥＦ９を既存のマイコンとする。スイッチ６はマイコンＤＥＦ９へのパルス伝送路５をＯＮ／ＯＦＦするためのものである。また、該装置においてはマイコンＣ８がスイッチ６を制御する機能を併せ持つことにより、オペレータからの要求を実行するにあたってのこの装置全体の制御を担っている。
【００１６】
マイコンＣ８は、マイコンＤＥＦ９へのリモコンコードパルス入力を許可する場合、スイッチ６へＯＮ制御信号を送り、マイコンＤＥＦ９へのパルス伝送路５を導通状態にする。パルス伝送路５が導通状態であるので、赤外線受光部４からのリモコンコードパルスがマイコンＤＥＦ９へ伝送されることになる。
【００１７】
また、マイコンＣ８は、マイコンＤＥＦ９へのリモコンコードパルス入力を許可しない場合、スイッチ６へＯＦＦ制御信号を送り、マイコンＤＥＦ９へのパルス伝送路５を遮断する。パルス伝送路５が遮断されているので、赤外線受光部４からのリモコンコードパルスがマイコンＤＥＦ９へ伝送されることはない。
【００１８】
なお本実施の形態２においては、リモコンコードパルス受信システムを持つマイコンを複数個使用した装置であればよく、構成する全てのマイコンがリモコンコードパルス受信システムを持つ必要はない。また、リモコンコードパルス受信システムを持つ既存のマイコンは３個に限るものではない。また、例えば、スイッチを多様に組み合わせたり、スイッチを個別に制御できるようにすることによって様々な制御が可能となる。
【００１９】
続いて、本実施の形態１及び２においてスイッチ６をＯＮにする際にスイッチ制御機能を持ったマイコンにリモコンコードパルスが連続して入力されている場合のこの装置（スイッチ制御機能を持ったマイコン）の処理を、図１、３を用いて説明する。
【００２０】
まず、ステップ１において、伝送されたリモコンコードパルスからスイッチ６をＯＮにするかＯＦＦにするかの判定をマイコンＡ１が行う。ＯＦＦにする場合はステップ２でスイッチ６にＯＦＦ制御信号を送り、ＯＮにする場合はステップ３に移行する。
【００２１】
ステップ３において、現在のスイッチ６の状況をチェックし、スイッチがＯＦＦの状態であればＯＮに切り換えるためにステップ４へ移行する。なお、スイッチがＯＮの状態であればそのままの状態を保持するようにすればよい。
【００２２】
ステップ４においてマイコンＡ１は、伝送されたリモコンコードパルスの入力が完了したかどうかをチェックする。リモコンコードパルスの入力が続いている場合、このままスイッチ６をＯＮにするとマイコンＡ１に入力されているのと同一のリモコンコードパルスがマイコンＢ２に入力されてしまい、該装置（マイコンＢ２）が意図しない動作を起こす恐れがある。そこで、リモコンコードパルスが入力され続けている場合にはスイッチ６をＯＮとはせず、そのままＯＦＦの状態を保つようにする。そして、マイコンＡ１へのリモコンコードパルスの入力が完了したことを確認してからステップ５へ移行してスイッチ６をＯＮにする。
【００２３】
なお、本実施の形態１及び２では新しいマイコンと既存のマイコンを組み合わせた装置の説明を行ったが、無論、新しいマイコンのみで構成してもよい。
【００２４】
【発明の効果】
本発明によれば、リモコンコードパルス受信システムを持つ複数個のマイコンで構成される装置において、これら複数個のマイコンのうちの一つにスイッチのＯＮ／ＯＦＦを制御する機能を加えてその他のマイコンがスイッチを介してパルス伝送路と接続されるようにし、赤外線コードに従って動作するのに必要な処理を実行するマイコンにのみリモコンコードパルスが伝送されるようにスイッチを選択制御することによって、マイコンの誤動作を防止することができ、特に既存のマイクロコンピュータを活用する場合に有効である。
【図面の簡単な説明】
【図１】本発明の実施の形態１におけるリモコンコードパルス受信システムを持つマイコンを用いて構成される装置の概略を示すブロック図
【図２】本発明の実施の形態２におけるリモコンコードパルス受信システムを持つマイコンを用いて構成される装置の概略を示すブロック図
【図３】本発明の実施の形態１、２におけるスイッチ制御機能を持ったマイコンによるスイッチ処理のフローチャート図
【図４】従来のリモコンコードパルス受信システムを持つマイコンを用いて構成される装置の概略を示すブロック図
【符号の説明】
１、２、８、９、１０、１１    マイコン
３    リモコン（赤外線リモートコントロールユニット）
４    赤外線受光部
５    パルス伝送路
６    スイッチ
７    スイッチ制御信号路
【図１】
0004859284.tif 000002
【図２】
0004859284.tif 000003
【図３】
0004859284.tif 000004
【図４】
0004859284.tif 000005